【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
減圧組織処置を組織部位に適用するための減圧送達システムであって、
組織接触層、解離層およびマニホールド層を有する多層減圧送達装置であって、前記組織接触層が、前記組織部位と接触するように構成された足場（scaffold）を含み、前記解離層が、ヒドロゲル形成材料および複数の流路を含み、前記マニホールド層が、分配マニホールドを含み、前記解離層が、前記組織接触層と前記マニホールド層の間に配置され、前記解離層の前記ヒドロゲル形成材料が、前記組織接触層と前記マニホールド層の少なくとも一方に結合された多層減圧送達装置と、
前記マニホールド層に流体流通可能に結合されて、前記組織部位に減圧を送達する減圧送達チューブとを備えることを特徴とする減圧送達システム。
【請求項２】
請求項１に記載の減圧送達システムにおいて、
前記ヒドロゲル形成材料が、前記足場と前記分配マニホールドとの間に配置され、このヒドロゲル形成材料が配置されている領域において、前記足場と前記分配マニホールドとの間の接触が実質的に防止されていることを特徴とする減圧送達システム。
【請求項３】
請求項２に記載の減圧送達システムにおいて、
前記減圧を加えている間、前記ヒドロゲル形成材料が配置されていない領域で、前記分配マニホールドが前記足場と接触することを特徴とする減圧送達システム。
【請求項４】
請求項１に記載の減圧送達システムにおいて、
前記組織接触層が約１ｍｍ乃至約４ｍｍの厚さであることを特徴とする減圧送達システム。
【請求項５】
請求項１に記載の減圧送達システムにおいて、
前記解離層の厚さが前記組織接触層の厚さ未満であることを特徴とする減圧送達システム。
【請求項６】
請求項１に記載の減圧送達システムにおいて、
前記ヒドロゲル形成材料のシート内に配置された気孔によって、前記解離層の複数の流路が形成されることを特徴とする減圧送達システム。
【請求項７】
請求項６に記載の減圧送達システムにおいて、
前記解離層内の前記気孔の気孔サイズが、前記足場内の前記気孔の気孔サイズ未満であることを特徴とする減圧送達システム。
【請求項８】
請求項１に記載の減圧送達システムにおいて、
前記ヒドロゲル形成材料のストランドが行と列に整列されるように、前記ヒドロゲル形成材料が格子状に配列され、
前記ヒドロゲル形成材料の前記行と列の間に配置された空隙によって前記複数の流路が形成されていることを特徴とする減圧送達システム。
【請求項９】
請求項１に記載の減圧送達システムにおいて、
前記複数の個別のビーズとして前記ヒドロゲル形成材料が与えられて、各ビーズが空隙を介して隣接ビーズから離れて配置され、
前記ヒドロゲル形成材料のビーズ間に配置された空隙によって前記複数の流路が形成されていることを特徴とする減圧送達システム。
【請求項１０】
請求項９に記載の減圧送達システムにおいて、
前記空隙によって与えられる気孔率が、前記足場によって与えられる気孔率未満であることを特徴とする減圧送達システム。
【請求項１１】
請求項１に記載の減圧送達システムにおいて、
前記分配マニホールドがオープンセル網状ポリエーテルウレタンフォームであることを特徴とする減圧送達システム。
【請求項１２】
請求項１に記載の減圧送達システムにおいて、
前記ヒドロゲル形成材料が組織の貫通を妨げる障壁となっていることを特徴とする減圧送達システム。
【請求項１３】
請求項１に記載の減圧送達システムにおいて、
前記足場が、ポリ乳酸、ポリグリコール酸、ポリカプロラクトン、ポリヒドロキシ酪酸、ポリヒドロキシ吉草酸、ポリジオキサノン、ポリオルトエステル、ポリホスファゼン、ポリウレタン、コラーゲン、ヒアルロン酸、キトサン、ヒドロキシアパタイト、珊瑚アパタイト、リン酸カルシウム、硫酸カルシウム、炭酸カルシウム、バイオガラス、同種移植片および自家移植片からなる群から選ばれた少なくとも１つの材料から構成されることを特徴とする減圧送達システム。
【請求項１４】
請求項１に記載の減圧送達システムにおいて、
前記ヒドロゲル形成材料が、ポリエチレングリコール、親水性ポリエーテル、ポリビニルアルコール、ポリ酢酸ビニル、ポリアクリル酸塩、ポリスルホン酸塩、ポリホスファゼンヒドロゲル、コラーゲン、ゼラチン、ヒアルロン酸、グルコサミノグリカン、キトサン、アルギン酸塩、およびエチレングリコールと乳酸の非架橋共重合体からなる群から選ばれた少なくとも１つの材料から構成されることを特徴とする減圧送達システム。
【請求項１５】
請求項１に記載の減圧送達システムにおいて、
前記分配マニホールドが、ポリウレタンフォーム、ポリビニルアルコールフォーム、ポリエチレンフォーム、発泡ポリテトラフルオロエチレン、シリコーンフォーム、ヘチマ・スポンジ、海綿、ガーゼおよびフェルト状マットからなる群から選ばれた少なくとも１つの材料から構成されることを特徴とする減圧送達システム。
【請求項１６】
請求項１に記載の減圧送達システムにおいて、
前記減圧送達チューブの近位端に流体流通可能に結合された減圧源をさらに備えることを特徴とする減圧送達システム。
【請求項１７】
減圧組織処置を組織部位に適用するための多層減圧送達装置であって、
組織部位に接触するように構成される足場を有する第１層と、
ヒドロゲル形成材料および複数の流路を有し、前記ヒドロゲル形成材料が前記足場に接触する第２層と、
前記ヒドロゲル形成材料に接触する分配マニホールドを有する第３層とを備えることを特徴とする減圧送達装置。
【請求項１８】
請求項１７に記載の減圧送達装置において、
前記ヒドロゲル形成材料が、前記第１層と前記第３層との間に配置されて、前記足場と前記分配マニホールドの少なくとも一方に結合されていることを特徴とする減圧送達装置。
【請求項１９】
請求項１７に記載の減圧送達装置において、
前記第３層に流体流通可能に結合されて、前記組織部位に減圧を送達する減圧送達チューブをさらに備えることを特徴とする減圧送達装置。
【請求項２０】
請求項１７に記載の減圧送達装置において、
前記ヒドロゲル形成材料が前記足場と前記分配マニホールドとの間に配置され、このヒドロゲル形成材料が配置されている領域において、前記足場と前記分配マニホールドとの間の接触が実質的に防止されていることを特徴とする減圧送達装置。
【請求項２１】
請求項１７に記載の減圧送達装置において、
前記減圧を加えている間、前記ヒドロゲル形成材料が配置されていない領域で、前記分配マニホールドが前記足場と接触することを特徴とする減圧送達装置。
【請求項２２】
請求項１７に記載の減圧送達装置において、
前記分配マニホールド、前記複数の流路および前記足場を介して、前記組織部位に減圧が加えられることを特徴とする減圧送達装置。
【請求項２３】
請求項１７に記載の減圧送達装置において、
前記流路が、前記減圧を加えている間、前記足場から前記分配マニホールドに流体を送ることができることを特徴とする減圧送達装置。
【請求項２４】
請求項２３に記載の減圧送達装置において、
前記流体が、前記組織部位からの創傷滲出液であることを特徴とする減圧送達装置。
【請求項２５】
請求項１７に記載の減圧送達装置において、
前記第１層が約１ｍｍ乃至約４ｍｍの厚さであることを特徴とする減圧送達装置。
【請求項２６】
請求項１７に記載の減圧送達装置において、
無水状態の前記第２層の厚さが、前記第１層の厚さ未満であることを特徴とする減圧送達装置。
【請求項２７】
請求項１７に記載の減圧送達装置において、
前記足場が、直径約５０ミクロン乃至約５００ミクロンの範囲の気孔サイズを有する気孔を含むことを特徴とする減圧送達装置。
【請求項２８】
請求項１７に記載の減圧送達装置において、
前記足場が、直径約１００ミクロン乃至約４００ミクロンの範囲の気孔サイズを有する気孔を含むことを特徴とする減圧送達装置。
【請求項２９】
請求項１７に記載の減圧送達装置において、
前記第２層の複数の流路が、前記ヒドロゲル形成材料のシート内に配置された気孔によって形成されることを特徴とする減圧送達装置。
【請求項３０】
請求項２９に記載の減圧送達装置において、
前記第２層内の前記気孔の気孔サイズが、前記足場内の前記気孔の気孔サイズ未満であることを特徴とする減圧送達装置。
【請求項３１】
請求項１７に記載の減圧送達装置において、
前記ヒドロゲル形成材料のストランドが行と列に整列されるように、前記ヒドロゲル形成材料が格子状に配列され、
前記ヒドロゲル形成材料の前記行と列の間に配置された空隙によって前記複数の流路が形成されていることを特徴とする減圧送達装置。
【請求項３２】
請求項１７に記載の減圧送達装置において、
前記複数の個別のビーズとして前記ヒドロゲル形成材料が与えられて、各ビーズが空隙を介して隣接ビーズから離れて配置され、
前記ヒドロゲル形成材料のビーズ間に配置された空隙によって前記複数の流路が形成されていることを特徴とする減圧送達装置。
【請求項３３】
請求項３２に記載の減圧送達装置において、
前記空隙によって与えられる気孔率が、前記足場によって与えられる気孔率未満であることを特徴とする減圧送達装置。
【請求項３４】
請求項１７に記載の減圧送達装置において、
前記分配マニホールドがセルラーフォームであることを特徴とする減圧送達装置。
【請求項３５】
請求項１７に記載の減圧送達装置において、
前記分配マニホールドがオープンセル網状ポリエーテルウレタンフォームであることを特徴とする減圧送達装置。
【請求項３６】
請求項１７に記載の減圧送達装置において、
前記分配マニホールドが、直径約４００ミクロン乃至約６００ミクロンの範囲の気孔サイズを含むことを特徴とする減圧送達装置。
【請求項３７】
請求項１７に記載の減圧送達装置において、
前記第３層が抗菌薬を含むことを特徴とする減圧送達装置。
【請求項３８】
請求項１７に記載の減圧送達装置において、
前記ヒドロゲル形成材料が生体吸収性であることを特徴とする減圧送達装置。
【請求項３９】
請求項１７に記載の減圧送達装置において、
前記ヒドロゲル形成材料が組織の貫通を妨げる障壁となっていることを特徴とする減圧送達装置。
【請求項４０】
請求項１７に記載の減圧送達装置において、
前記組織部位が、脂肪組織、骨組織、軟骨、結合組織、皮膚組織、靱帯、筋肉組織、腱、血管組織からなる群から選ばれた組織から構成されることを特徴とする減圧送達装置。
【請求項４１】
請求項１７に記載の減圧送達装置において、
前記足場が、ポリ乳酸、ポリグリコール酸、ポリカプロラクトン、ポリヒドロキシ酪酸、ポリヒドロキシ吉草酸、ポリジオキサノン、ポリオルトエステル、ポリホスファゼン、ポリウレタン、コラーゲン、ヒアルロン酸、キトサン、ヒドロキシアパタイト、珊瑚アパタイト、リン酸カルシウム、硫酸カルシウム、炭酸カルシウム、バイオガラス、同種移植片および自家移植片からなる群から選ばれた少なくとも１つの材料から構成されることを特徴とする減圧送達装置。
【請求項４２】
請求項１７に記載の減圧送達装置において、
前記ヒドロゲル形成材料が、ポリエチレングリコール、親水性ポリエーテル、ポリビニルアルコール、ポリ酢酸ビニル、ポリアクリル酸塩、ポリスルホン酸塩、ポリホスファゼンヒドロゲル、コラーゲン、ゼラチン、ヒアルロン酸、グルコサミノグリカン、キトサン、アルギン酸塩、およびエチレングリコールと乳酸の非架橋共重合体からなる群から選ばれた少なくとも１つの材料から構成されることを特徴とする減圧送達装置。
【請求項４３】
請求項１７に記載の減圧送達装置において、
前記分配マニホールドが、ポリウレタンフォーム、ポリビニルアルコールフォーム、ポリエチレンフォーム、発泡ポリテトラフルオロエチレン、シリコーンフォーム、ヘチマ・スポンジ、海綿、ガーゼおよびフェルト状マットからなる群から選ばれた少なくとも１つの材料から構成されることを特徴とする減圧送達装置。
【請求項４４】
請求項１７に記載の減圧送達装置において、
前記分配マニホールドが、織物多孔質パッド（woven porous pad）、不織多孔質パッド（non-woven porous pad）、ヘチマ・スポンジおよび海綿からなる群から選ばれることを特徴とする減圧送達装置。
【請求項４５】
減圧組織処置を組織部位に適用するための多層減圧送達装置であって、
前記組織部位に接触して、この組織部位からの新たな組織の内部成長を受け入れるように構成された足場を有するとともに、複数の第１流路を有する組織接触層と、
前記組織部位に減圧を分配する多孔性材料を有するとともに、複数の第３流路を有するマニホールド層と、
前記組織接触層と前記マニホールド層の間に配置される解離層であって、前記組織接触層と前記マニホールド層の少なくとも一方に結合されるヒドロゲル形成材料を有し、このヒドロゲル形成材料が、流体を吸収したときにヒドロゲルを生成して、前記組織接触層と前記マニホールド層の少なくとも一方を解離するように構成された解離層とを備え、
前記解離層が、前記複数の第１および第３流路との間で流体が流通する複数の第２流路をさらに有することを特徴とする減圧送達装置。
【請求項４６】
請求項４５に記載の減圧送達装置において、
前記マニホールド層に流体流通可能に結合されて、前記複数の第３流路、前記複数の第２流路および前記複数の第１流路を介して前記組織部位に減圧を送達する減圧送達チューブをさらに備えることを特徴とする減圧送達装置。
【請求項４７】
請求項４５に記載の減圧送達装置において、
前記ヒドロゲル形成材料が、当該ヒドロゲル形成材料が配置されている領域において、前記足場と前記多孔性材料との間の接触を実質的に防止し、
前記多孔性材料が、前記減圧を加えている間、前記ヒドロゲル形成材料が配置されていない領域において、前記足場と接触することを特徴とする減圧送達装置。
【請求項４８】
請求項４５に記載の減圧送達装置において、
前記組織接触層が約１ｍｍ乃至約４ｍｍの厚さであることを特徴とする減圧送達装置。
【請求項４９】
請求項４５に記載の減圧送達装置において、
前記解離層の厚さが前記組織接触層の厚さ未満であることを特徴とする減圧送達装置。
【請求項５０】
請求項４５に記載の減圧送達装置において、
前記足場が、直径約５０ミクロン乃至約５００ミクロンの範囲の気孔サイズを有する気孔を含むことを特徴とする減圧送達装置。
【請求項５１】
請求項４５に記載の減圧送達装置において、
前記解離層の前記複数の第２流路が、前記ヒドロゲル形成材料のシート内に配置された気孔によって形成されることを特徴とする減圧送達装置。
【請求項５２】
請求項５１に記載の減圧送達装置において、
前記解離層内の前記気孔の気孔サイズが、前記足場内の前記気孔の気孔サイズ未満であることを特徴とする減圧送達装置。
【請求項５３】
請求項４５に記載の減圧送達装置において、
前記ヒドロゲル形成材料のストランドが行と列に整列されるように、前記ヒドロゲル形成材料が格子状に配列され、
前記ヒドロゲル形成材料の前記行と列の間に配置された空隙によって前記複数の第２流路が形成されていることを特徴とする減圧送達装置。
【請求項５４】
請求項４５に記載の減圧送達装置において、
前記複数の個別のビーズとして前記ヒドロゲル形成材料が与えられて、各ビーズが空隙を介して隣接ビーズから離れて配置され、
前記ヒドロゲル形成材料のビーズ間に配置された空隙によって前記複数の第２流路が形成されていることを特徴とする減圧送達装置。
【請求項５５】
請求項５４に記載の減圧送達装置において、
前記空隙によって与えられる気孔率が、前記足場によって与えられる気孔率未満であることを特徴とする減圧送達装置。
【請求項５６】
請求項４５に記載の減圧送達装置において、
前記多孔性材料がオープンセル網状ポリエーテルウレタンフォームであることを特徴とする減圧送達装置。
【請求項５７】
請求項４５に記載の減圧送達装置において、
前記ヒドロゲル形成材料が組織の貫通を妨げる障壁となっていることを特徴とする減圧送達装置。
【請求項５８】
請求項４５に記載の減圧送達装置において、
前記足場が、ポリ乳酸、ポリグリコール酸、ポリカプロラクトン、ポリヒドロキシ酪酸、ポリヒドロキシ吉草酸、ポリジオキサノン、ポリオルトエステル、ポリホスファゼン、ポリウレタン、コラーゲン、ヒアルロン酸、キトサン、ヒドロキシアパタイト、珊瑚アパタイト、リン酸カルシウム、硫酸カルシウム、炭酸カルシウム、バイオガラス、同種移植片および自家移植片からなる群から選ばれた少なくとも１つの材料から構成されることを特徴とする減圧送達装置。
【請求項５９】
請求項４５に記載の減圧送達装置において、
前記ヒドロゲル形成材料が、ポリエチレングリコール、親水性ポリエーテル、ポリビニルアルコール、ポリ酢酸ビニル、ポリアクリル酸塩、ポリスルホン酸塩、ポリホスファゼンヒドロゲル、コラーゲン、ゼラチン、ヒアルロン酸、グルコサミノグリカン、キトサン、アルギン酸塩、およびエチレングリコールと乳酸の非架橋共重合体からなる群から選ばれた少なくとも１つの材料から構成されることを特徴とする減圧送達装置。
【請求項６０】
請求項４５に記載の減圧送達装置において、
前記多孔性材料が、ポリウレタンフォーム、ポリビニルアルコールフォーム、ポリエチレンフォーム、発泡ポリテトラフルオロエチレン、シリコーンフォーム、ヘチマ・スポンジ、海綿、ガーゼおよびフェルト状マットからなる群から選ばれた少なくとも１つの材料から構成されることを特徴とする減圧送達装置。
【請求項６１】
減圧組織処置を組織部位に適用するための減圧送達装置であって、
組織部位に接触して、この組織部位からの新たな組織の内部成長を受け入れるように構成された足場と、
前記足場を介して前記組織部位に減圧を分配するように構成された分配マニホールドと、
前記足場と前記分配マニホールドとの間に配置されて、前記足場と前記分配マニホールドとに接触する解離材料であって、当該解離材料が配置されている領域において、前記足場と前記分配マニホールドとの間の接触を実質的に防止する解離材料とを備えることを特徴とする減圧送達装置。
【請求項６２】
請求項６１に記載の減圧送達装置において、
前記解離材料が、前記足場および前記分配マニホールドの少なくとも一方に結合されていることを特徴とする減圧送達装置。
【請求項６３】
請求項６１に記載の減圧送達装置において、
前記分配マニホールドに流体流通可能に結合された遠位端を有し、前記分配マニホールドに減圧を送達する減圧送達チューブをさらに備えることを特徴とする減圧送達装置。
【請求項６４】
請求項６１に記載の減圧送達装置において、
前記減圧を加えている間、前記解離材料が配置されていない領域で、前記分配マニホールドが前記足場と接触することを特徴とする減圧送達装置。
【請求項６５】
請求項６１に記載の減圧送達装置において、
前記足場と前記分配マニホールドとの間に配置されて、前記足場と前記分配マニホールドとの間で流体が流通することを可能にする複数の流路をさらに備えることを特徴とする減圧送達装置。
【請求項６６】
請求項６１に記載の減圧送達装置において、
前記足場が約１ｍｍ乃至約４ｍｍの厚さであることを特徴とする減圧送達装置。
【請求項６７】
請求項６１に記載の減圧送達装置において、
前記解離材料の厚さが前記足場の厚さ未満であることを特徴とする減圧送達装置。
【請求項６８】
請求項６１に記載の減圧送達装置において、
前記足場が、直径約５０ミクロン乃至約５００ミクロンの範囲の気孔サイズを有する気孔を含むことを特徴とする減圧送達装置。
【請求項６９】
請求項６１に記載の減圧送達装置において、
前記足場が、直径約１００ミクロン乃至約４００ミクロンの範囲の気孔サイズを有する気孔を含むことを特徴とする減圧送達装置。
【請求項７０】
請求項６１に記載の減圧送達装置において、
前記足場と前記分配マニホールドとの間に配置されて、前記足場と前記分配マニホールドとの間の流体の流通を可能とする複数の流路をさらに備え、
前記複数の流路が、前記解離材料のシート内に配置された気孔によって与えられていることを特徴とする減圧送達装置。
【請求項７１】
請求項７０に記載の減圧送達装置において、
前記解離材料の前記シート内の前記気孔の気孔サイズが、前記足場内の前記気孔の気孔サイズ未満であることを特徴とする減圧送達装置。
【請求項７２】
請求項６１に記載の減圧送達装置において、
前記足場と前記分配マニホールドとの間に配置されて、前記足場と前記分配マニホールドとの間の流体の流通を可能とする複数の流路をさらに備え、
前記解離材料のストランドが行と列に整列されるように、前記解離材料が格子状に配列され、
前記解離材料の前記行と列の間に配置された空隙によって前記複数の流路が形成されていることを特徴とする減圧送達装置。
【請求項７３】
請求項６１に記載の減圧送達装置において、
前記足場と前記分配マニホールドとの間に配置されて、前記足場と前記分配マニホールドとの間の流体の流通を可能とする複数の流路をさらに備え、
前記複数の個別のビーズとして前記解離材料が与えられて、各ビーズが空隙を介して隣接ビーズから離れて配置され、
前記解離材料のビーズ間に配置された空隙によって前記複数の流路が形成されていることを特徴とする減圧送達装置。
【請求項７４】
請求項７３に記載の減圧送達装置において、
前記空隙によって与えられる気孔率が、前記足場によって与えられる気孔率未満であることを特徴とする減圧送達装置。
【請求項７５】
請求項６１に記載の減圧送達装置において、
前記分配マニホールドがセルラーフォームであることを特徴とする減圧送達装置。
【請求項７６】
請求項６１に記載の減圧送達装置において、
前記分配マニホールドがオープンセル網状ポリエーテルウレタンフォームであることを特徴とする減圧送達装置。
【請求項７７】
請求項６１に記載の減圧送達装置において、
前記分配マニホールドが、直径約４００ミクロン乃至約６００ミクロンの範囲の気孔サイズを含むことを特徴とする減圧送達装置。
【請求項７８】
請求項６１に記載の減圧送達装置において、
前記分配マニホールドに抗菌薬が注入されていることを特徴とする減圧送達装置。
【請求項７９】
請求項６１に記載の減圧送達装置において、
前記解離材料が生体吸収性であることを特徴とする減圧送達装置。
【請求項８０】
請求項６１に記載の減圧送達装置において、
前記解離材料が組織の貫通を妨げる障壁となっていることを特徴とする減圧送達装置。
【請求項８１】
請求項６１に記載の減圧送達装置において、
前記組織部位が、脂肪組織、骨組織、軟骨、結合組織、皮膚組織、靱帯、筋肉組織、腱、血管組織からなる群から選ばれた組織から構成されることを特徴とする減圧送達装置。
【請求項８２】
請求項６１に記載の減圧送達装置において、
前記足場が、ポリ乳酸、ポリグリコール酸、ポリカプロラクトン、ポリヒドロキシ酪酸、ポリヒドロキシ吉草酸、ポリジオキサノン、ポリオルトエステル、ポリホスファゼン、ポリウレタン、コラーゲン、ヒアルロン酸、キトサン、ヒドロキシアパタイト、珊瑚アパタイト、リン酸カルシウム、硫酸カルシウム、炭酸カルシウム、バイオガラス、同種移植片および自家移植片からなる群から選ばれた少なくとも１つの材料から構成されることを特徴とする減圧送達装置。
【請求項８３】
請求項６１に記載の減圧送達装置において、
前記解離材料が、ポリエチレングリコール、親水性ポリエーテル、ポリビニルアルコール、ポリ酢酸ビニル、ポリアクリル酸塩、ポリスルホン酸塩、ポリホスファゼンヒドロゲル、コラーゲン、ゼラチン、ヒアルロン酸、グルコサミノグリカン、キトサン、アルギン酸塩、デオキシリボ核酸およびエチレングリコールと乳酸の非架橋共重合体からなる群から選ばれた少なくとも１つの材料から構成されることを特徴とする減圧送達装置。
【請求項８４】
請求項６１に記載の減圧送達装置において、
前記分配マニホールドが、ポリウレタンフォーム、ポリビニルアルコールフォーム、ポリエチレンフォーム、発泡ポリテトラフルオロエチレン、シリコーンフォーム、ヘチマ・スポンジ、海綿、ガーゼおよびフェルト状マットからなる群から選ばれた少なくとも１つの材料から構成されることを特徴とする減圧送達装置。
【請求項８５】
請求項６１に記載の減圧送達装置において、
前記分配マニホールドが、織物多孔質パッド、不織多孔質パッド、ヘチマ・スポンジおよび海綿からなる群から選ばれることを特徴とする減圧送達装置。
【請求項８６】
減圧組織処置を組織部位に適用するための減圧送達システムであって、
減圧を分配する分配マニホールドと、前記組織部位からの新たな組織の内部成長を促す足場とを有し、前記分配マニホールドと前記足場の間に配置されたヒドロゲル形成材料によって、前記分配マニホールドと前記足場とが互いに結合された減圧送達装置と、
前記分配マニホールドに流体流通可能に結合された遠位端を有し、前記分配マニホールドおよび前記足場を介して前記組織部位に減圧を送達する減圧送達チューブとを備えることを特徴とする減圧送達システム。
【請求項８７】
請求項８６に記載の減圧送達システムにおいて、
前記ヒドロゲル形成材料が、当該ヒドロゲル形成材料が配置されている領域において、前記足場と前記分配マニホールドとの間の接触を実質的に防止することを特徴とする減圧送達システム。
【請求項８８】
請求項８６に記載の減圧送達システムにおいて、
前記分配マニホールドが、前記減圧を加えている間、前記ヒドロゲル形成材料が配置されていない領域において、前記足場と接触することを特徴とする減圧送達システム。
【請求項８９】
請求項８６に記載の減圧送達システムにおいて、
前記足場と前記分配マニホールドとの間に配置されて、前記足場と前記分配マニホールドとの間の流体の流通を可能とする複数の流路をさらに備えることを特徴とする減圧送達システム。
【請求項９０】
請求項８６に記載の減圧送達システムにおいて、
前記足場が約１ｍｍ乃至約４ｍｍの厚さであることを特徴とする減圧送達システム。
【請求項９１】
請求項８６に記載の減圧送達システムにおいて、
前記ヒドロゲル形成材料の厚さが前記足場の厚さ未満であることを特徴とする減圧送達システム。
【請求項９２】
請求項８６に記載の減圧送達システムにおいて、
前記足場と前記分配マニホールドとの間に配置されて、前記足場と前記分配マニホールドとの間の流体の流通を可能とする複数の流路をさらに備え、
前記複数の流路が、前記ヒドロゲル形成材料のシート内に配置された気孔によって与えられていることを特徴とする減圧送達システム。
【請求項９３】
請求項９２に記載の減圧送達システムにおいて、
前記ヒドロゲル形成材料の前記シート内の前記気孔の気孔サイズが、前記足場内の前記気孔の気孔サイズ未満であることを特徴とする減圧送達システム。
【請求項９４】
請求項８６に記載の減圧送達システムにおいて、
前記足場と前記分配マニホールドとの間に配置されて、前記足場と前記分配マニホールドとの間の流体の流通を可能とする複数の流路をさらに備え、
前記ヒドロゲル形成材料のストランドが行と列に整列されるように、前記ヒドロゲル形成材料が格子状に配列され、
前記ヒドロゲル形成材料の前記行と列の間に配置された空隙によって前記複数の流路が形成されていることを特徴とする減圧送達システム。
【請求項９５】
請求項８６に記載の減圧送達システムにおいて、
前記足場と前記分配マニホールドとの間に配置されて、前記足場と前記分配マニホールドとの間の流体の流通を可能とする複数の流路をさらに備え、
前記複数の個別のビーズとして前記ヒドロゲル形成材料が与えられて、各ビーズが空隙を介して隣接ビーズから離れて配置され、
前記ヒドロゲル形成材料のビーズ間に配置された空隙によって前記複数の流路が形成されていることを特徴とする減圧送達システム。
【請求項９６】
請求項９５に記載の減圧送達システムにおいて、
前記空隙によって与えられる気孔率が、前記足場によって与えられる気孔率未満であることを特徴とする減圧送達システム。
【請求項９７】
請求項８６に記載の減圧送達システムにおいて、
前記分配マニホールドがオープンセル網状ポリエーテルウレタンフォームであることを特徴とする減圧送達システム。
【請求項９８】
請求項８６に記載の減圧送達システムにおいて、
前記ヒドロゲル形成材料が組織の貫通を妨げる障壁となっていることを特徴とする減圧送達システム。
【請求項９９】
請求項８６に記載の減圧送達システムにおいて、
前記足場が、ポリ乳酸、ポリグリコール酸、ポリカプロラクトン、ポリヒドロキシ酪酸、ポリヒドロキシ吉草酸、ポリジオキサノン、ポリオルトエステル、ポリホスファゼン、ポリウレタン、コラーゲン、ヒアルロン酸、キトサン、ヒドロキシアパタイト、珊瑚アパタイト、リン酸カルシウム、硫酸カルシウム、炭酸カルシウム、バイオガラス、同種移植片および自家移植片からなる群から選ばれた少なくとも１つの材料から構成されることを特徴とする減圧送達システム。
【請求項１００】
請求項８６に記載の減圧送達システムにおいて、
前記ヒドロゲル形成材料が、ポリエチレングリコール、親水性ポリエーテル、ポリビニルアルコール、ポリ酢酸ビニル、ポリアクリル酸塩、ポリスルホン酸塩、ポリホスファゼンヒドロゲル、コラーゲン、ゼラチン、ヒアルロン酸、グルコサミノグリカン、キトサン、アルギン酸塩、およびエチレングリコールと乳酸の非架橋共重合体からなる群から選ばれた少なくとも１つの材料から構成されることを特徴とする減圧送達システム。
【請求項１０１】
請求項８６に記載の減圧送達システムにおいて、
前記分配マニホールドが、ポリウレタンフォーム、ポリビニルアルコールフォーム、ポリエチレンフォーム、発泡ポリテトラフルオロエチレン、シリコーンフォーム、ヘチマ・スポンジ、海綿、ガーゼおよびフェルト状マットからなる群から選ばれた少なくとも１つの材料から構成されることを特徴とする減圧送達システム。
【請求項１０２】
請求項８６に記載の減圧送達システムにおいて、
前記減圧送達チューブの近位端に流体流通可能に結合された減圧源をさらに備えることを特徴とする減圧送達システム。
【請求項１０３】
組織部位における新たな組織成長を促進する方法であって、
足場を前記組織部位と接触させて配置するステップと、
ヒドロゲル形成材料を前記足場と接触させて配置するステップと、
マニホールドを前記ヒドロゲル形成材料と接触させて配置するステップと、
前記マニホールドおよび前記足場を介して前記組織部位に減圧を加えるステップとを備えることを特徴とする方法。
【請求項１０４】
請求項１０３に記載の方法において、
前記足場および前記マニホールドを介して滲出液を回収するステップをさらに備えることを特徴とする方法。
【請求項１０５】
請求項１０３に記載の方法において、
前記マニホールドに減圧を加えるのを停止するステップと、
前記ヒドロゲル形成材料を水和してゲル状態に変換するのを許容するステップと、
前記ヒドロゲル形成材料から前記マニホールドを除去するステップとをさらに備えることを特徴とする方法。
【請求項１０６】
請求項１０５に記載の方法において、
前記足場から前記ヒドロゲル形成材料を除去するステップをさらに備えることを特徴とする方法。
【請求項１０７】
請求項１０５に記載の方法において、
前記ヒドロゲル形成材料の水和を許容するステップは、
前記マニホールドを介して前記ヒドロゲル形成材料に流体を供給するステップをさらに備えることを特徴とする方法。
【請求項１０８】
請求項１０５に記載の方法において、
前記マニホールドの除去に続いて、第２足場を前記第１足場と接触させて配置するステップと、
第２ヒドロゲル形成材料を前記第２足場と接触させて配置するステップと、
第２マニホールドを前記第２ヒドロゲル形成材料と接触させて配置するステップと、
前記第２マニホールドに減圧を加えるステップとをさらに備えることを特徴とする方法。
【請求項１０９】
請求項１０３に記載の方法において、
前記組織部位が、脂肪組織、骨組織、筋肉組織、皮膚組織、血管組織、結合組織、軟骨、腱および靱帯からなる群から選ばれた組織から構成されることを特徴とする方法。
【請求項１１０】
組織部位における新たな組織成長を促進する方法であって、
多層減圧送達装置を前記組織部位と接触させて配置するステップを備え、前記多層減圧送達装置が、前記組織部位と接触するように構成された足場を有する組織接触層と、分配マニホールドを有するマニホールド層と、ヒドロゲル形成材料と複数の流路を有する解離層とを含み、前記解離層が、前記組織接触層と前記マニホールド層との間に配置され、この解離層の前記ヒドロゲル形成材料が、前記組織接触層と前記マニホールド層の少なくとも一方に結合され、
前記方法は、さらに、
前記組織接触層が前記組織部位に接触する向きに前記多層減圧送達装置を置くステップと、
前記分配マニホールド、前記流路および前記足場を介して前記組織部位に減圧を加えるステップとを備えることを特徴とする方法。
【請求項１１１】
請求項１１０に記載の方法において、
前記足場、前記流路および前記分配マニホールドを介して滲出液を回収するステップをさらに備えることを特徴とする方法。
【請求項１１２】
請求項１１０に記載の方法において、
減圧を加えるのを停止するステップと、
前記ヒドロゲル形成材料を水和してゲル状態に変換するのを許容するステップと、
前記ヒドロゲル形成材料から前記分配マニホールドを除去するステップとをさらに備えることを特徴とする方法。
【請求項１１３】
請求項１１２に記載の方法において、
前記分配マニホールドの除去に続いて、第２多層減圧送達装置を前記第１足場と接触させて配置するステップと、
前記第２多層減圧送達装置に減圧を加えるステップとをさらに備えることを特徴とする方法。
【請求項１１４】
組織部位における新たな組織成長を促進する方法であって、
多層減圧送達装置を前記組織部位と接触させて配置するステップを備え、前記多層減圧送達装置は、前記組織部位に接触するように構成される足場を有する第１層と、ヒドロゲル形成材料および複数の流路を有し、前記ヒドロゲル形成材料が前記足場に接触する第２層と、前記ヒドロゲル形成材料に接触する分配マニホールドを有する第３層とを備え、
上記方法は、さらに、
前記組織接触層が前記組織部位に接触する向きに前記多層減圧送達装置を置くステップと、
前記分配マニホールド、前記流路および前記足場を介して前記組織部位に減圧を加えるステップとを備えることを特徴とする方法。
【請求項１１５】
組織部位における新たな組織成長を促進する方法であって、
前記組織部位に足場を、前記足場にヒドロゲル形成材料を、前記ヒドロゲル形成材料に分配マニホールドを、それぞれ接触させて配置するステップと、
前記分配マニホールドおよび前記足場を介して前記組織部位に減圧を加えることにより、前記組織部位において新たな組織成長を促すステップとを備えることを特徴とする方法。